(57)【要約】エレベータの荷重支持部材アセンブリは、ジャケット（４４）上に少なくとも１つのトラクション能力強化表面（４６）を含む。１つの実施例では、引張部材（４２）上にジャケットを押出成形させた後に、機械的除去法を利用して表面（４６）からアミドリッチな層を少なくとも部分的に取り除く。他の実施例では化学的除去法を利用する。記載される別の実施例は表面の破壊を含む。【特許請求の範囲】
【請求項１】
少なくとも１つの引張部材を概ね覆うポリマージャケットの少なくとも１つの表面の上にある材料を少なくとも部分的に除去する工程を含むことを特徴とするエレベータシステムに使用する荷重支持部材の製造方法。
【請求項２】
前記表面の１つから前記材料を化学的に除去する工程を含むことを特徴とする請求項１に記載のエレベータシステムに使用する荷重支持部材の製造方法。
【請求項３】
前記表面の１つに化学薬品を塗布する工程を含み、前記化学薬品が２−ブトキシエタノールと水との混合物を含有することを特徴とする請求項２に記載のエレベータシステムに使用する荷重支持部材の製造方法。
【請求項４】
前記表面の１つに化学エッチングまたは薬品洗浄の少なくとも１つを実施する工程を含むことを特徴とする請求項２に記載のエレベータシステムに使用する荷重支持部材の製造方法。
【請求項５】
前記表面の１つから材料を機械的に除去する工程を含むことを特徴とする請求項１に記載のエレベータシステムに使用する荷重支持部材の製造方法。
【請求項６】
前記表面の１つに研磨、研削、研磨またはバフ研磨の少なくとも１つを実施する工程を含むことを特徴とする請求項５に記載のエレベータシステムに使用する荷重支持部材の製造方法。
【請求項７】
前記表面の１つを破壊する工程を含むことを特徴とする請求項１に記載のエレベータシステムに使用する荷重支持部材の製造方法。
【請求項８】
前記ジャケットがポリウレタンを含有し、
前記表面の１つの少なくとも一部に純粋ポリウレタンを露出させる工程を含むことを特徴とする請求項１に記載のエレベータシステムに使用する荷重支持部材の製造方法。
【請求項９】
少なくとも１つの引張部材を概ね覆うポリマージャケットの少なくとも１つの表面の上にある材料を、少なくとも部分的に除去する工程を含む方法で製造されることを特徴とするエレベータシステムに使用する荷重支持部材。
【請求項１０】
前記方法が、前記表面の１つから材料を化学的に除去する工程を含むことを特徴とする請求項９に記載のエレベータシステムに使用する荷重支持部材。
【請求項１１】
前記方法が、前記表面の１つに化学薬品を塗布する工程を含み、前記化学薬品が２−ブトキシエタノールと水との混合物を含有することを特徴とする請求項１０に記載のエレベータシステムに使用する荷重支持部材。
【請求項１２】
前記方法が、前記表面の１つに化学エッチングまたは薬品洗浄の少なくとも一方を実施する工程を含むことを特徴とする請求項１０に記載のエレベータシステムに使用する荷重支持部材。
【請求項１３】
前記方法が、前記表面の１つから材料を機械的に除去する工程を含むことを特徴とする請求項９に記載のエレベータシステムに使用する荷重支持部材。
【請求項１４】
前記方法が、前記表面の１つに研磨、研削、磨耗またはバフ研磨の少なくとも１つを実施する工程を含むことを特徴とする請求項１３に記載のエレベータシステムに使用する荷重支持部材。
【請求項１５】
前記方法が、前記表面の１つを破壊する工程を含むことを特徴とする請求項９に記載のエレベータシステムに使用する荷重支持部材。
【請求項１６】
前記ジャケットがポリウレタンを含有し、前記方法が、前記表面の１つに純粋ポリウレタンを露出させる工程を含むことを特徴とする請求項９に記載のエレベータシステムに使用する荷重支持部材。
【請求項１７】
少なくとも１つの引張部材と、
前記引張部材を概ね覆うためのジャケットと、
を備え、
前記ジャケットは、ジャケット最外層の少なくとも１部を規定する少なくとも１つの表面を有し、前記表面の１つは露出した純粋ポリウレタンを含有することを特徴とするエレベータシステムに使用する荷重支持部材。
【請求項１８】
前記露出した純粋ポリウレタンが前記表面の全体に亘って存在することを特徴とする請求項１７に記載のエレベータシステムに使用する荷重支持部材。
【請求項１９】
前記表面の１つが平滑であることを特徴とする請求項１６に記載のエレベータシステムに使用する荷重支持部材。
【請求項２０】
前記表面の１つが少なくとも部分的に粗いことを特徴とする請求項１６に記載のエレベータシステムに使用する荷重支持部材。
【発明の詳細な説明】
【技術分野】
【０００１】
本発明は、エレベータシステムに使用する荷重支持部材に関する。さらに特に、本発明は特殊なジャケット表面を有するエレベータ用荷重支持部材に関する。
【背景技術】
【０００２】
エレベータシステムは、通常、例えば乗客または貨物を建物の異なる階に運搬するために昇降路内を移動する、かごとつり合いおもりとを含む。ロープまたはベルトのような荷重支持部材は、通常、一組のシーブ上を動き、かごとつり合いおもりとの荷重を支えている。エレベータシステムに使用される荷重支持部材の種類は様々である。
【０００３】
例えば荷重支持部材として、引張部材（例えばスチールコードまたはアラミド繊維）を覆うポリマージャケット（例えばポリウレタンまたはナイロン）を有するものが挙げられる。このような構成は丸型または平坦であってよい。
【０００４】
ある荷重支持部材では、引張部材上にジャケットを施すための押出成形法において、ジャケットを適用する方法に適した化学特性を有する材料を選択する必要がある。しかし、得られたジャケットが、エレベータシステムに取り付けられた際に、所望のトラクションレベルを保持するのは難しいと考えられる。加工法の観点から適する材料であっても、ジャケットとエレベータシーブ表面との間の摩擦係数は、昇降路内で要求されるトラクション能力に合う値よりも高いか、もしくは低い。
【０００５】
通常の加工法であれば、シーブ接触表面におけるジャケットの外観は平滑であるかまたは光沢を有する。場合によっては、この平滑性がジャケットとトラクションシーブとの間に所望しない粘着力を生じさせることがある。多くの場合、平滑表面とトラクションシーブとの間に生じる摩擦係数は所望されるトラクション能力に合うものではない。
【発明の開示】
【発明が解決しようとする課題】
【０００６】
あるジャケットはポリウレタンを含有する。ポリウレタン供給元の多くは、ワックス、離型剤ならびにウレタンの加工を容易にするための成分といった添加物を含むポリウレタン原料を提供する。これらの添加物は、通常、成形過程でジャケット表面へ移行する。このようなワックス、離型剤ならびに加工助剤がポリウレタン表面へ移行して表面層を形成するが、この表面層は上述したトラクション能力に関する問題点を有する。
【０００７】
一般的なポリマージャケットに係る所望しない摩擦特性を最小限に留めるかまたは排除するための別の構成が必要とされている。
【課題を解決するための手段】
【０００８】
エレベータシステムに使用する荷重支持部材の製造方法の例は、少なくとも１つの引張部材を概ね覆うポリマージャケットの少なくとも１つの表面から層を少なくとも部分的に除去し、純粋ポリウレタンを露出させる工程を含む。１つの実施例では、方法が、表面全体に亘って純粋ポリウレタンを完全に露出させる工程を含む。
【０００９】
１つの実施例では、表面層の少なくとも一部を、例えば薬品洗浄または化学エッチング技術を用いて化学的に除去する。他の実施例では、表面層の少なくとも一部を、磨耗、研磨または研削の少なくとも１つを実施することにより機械的に除去する。他の実施例では、表面層をディンプルローラー（ｄｉｍｐｌｅｄ  ｒｏｌｌｅｒ）で破壊して、下層に存在するポリウレタン層そのものが表面を成すようにする。
【００１０】
荷重支持部材の１例は、少なくとも１つの引張部材を含む。ジャケットは引張部材を概ね覆うものである。ジャケットはジャケットの外面に純粋ポリウレタンの露出した少なくとも１つの表面を有する。１つの実施例では、純粋ポリウレタンの露出した表面は平滑である。他の実施例では表面は粗い。
【００１１】
本発明の種々の特徴および利点は、最新の好ましい実施態様に関する以下の詳細な説明から、当業者に明らかであろう。詳細な説明に付随する図面について後で簡単に説明する。
【発明を実施するための最良の形態】
【００１２】
図１は、エレベータシステムへの使用を目的に設計された荷重支持部材４０の概略図である。複数のコード４２が荷重支持部材４０の長手方向軸に対して概ね平行に配列される。１つの実施例では、コード４２はスチールワイヤのストランドからなる。ジャケット４４はコード４２を概ね覆う。他の実施例では、荷重支持部材は長方形というより円形で一つの引張部材を含んでいてよい。
【００１３】
１つの実施例では、ジャケット４４はポリウレタンベースの材料を含有する。このような材料は様々なものが入手可能であり、エレベータシステムに有用であることが知られている。１つの実施例では、好ましいウレタン材料は熱可塑性ポリウレタン（ＴＰＵ）である。他の実施例には、特定のＴＰＵが所望の機械特性を示す限り、エーテルベース、エステルベースおよび脂肪族ベースのＴＰＵならびにフッ素またはその他の元素を含む誘導体といった様々なＴＰＵが含まれる。
【００１４】
この記載から、当業者は、特定の状況で求められる要求事項に応じて、適当なジャケット材料を選択できるであろう。
【００１５】
例示のジャケット４４は、外部長さＬ、幅Ｗ、および厚さｔの荷重支持部材４０を構築する。１つの実施例では、荷重支持部材の幅Ｗは約３０ｍｍであり、厚さｔは約３ｍｍである。１つの実施例では、コード４２は直径１．６５ｍｍである。コード４２はアセンブリの全長Ｌに沿って伸長しているのが好ましい。例示のジャケット４４は、外表面４６および外表面４８を有する。表面４６または表面４８の少なくとも１つは、エレベータカゴに所望の移動を実現させる得るために荷重支持部材が動く際に、トラクションシーブやエレベータシステム内の適当な別の要素と接触する。少なくとも外表面４６はある程度の純粋ポリウレタンが露出している。１つの実施例では、幅Ｗに亘り長さＬに沿って純粋ポリウレタンが露出している。
【００１６】
例示のアセンブリは、表面４６を規則正しく分断する間隔を隔てた溝４７を複数有し、この溝４７はベルト（帯）作製技術により作製することができる。周知のように、溝位置ではコード部分が少なくとも部分的に露出し、ジャケット４４の材料で完全に覆われているわけではない。溝と溝との間に広がるジャケットの少なくとも1部では純粋ポリウレタンがある程度露出している。
【００１７】
ジャケット４４を製造するのに利用されるモールド成形工程および硬化工程中に、ジャケット４４の表面に移行するアミドリッチな層を少なくとも部分的にディスパッチング（すなわち除去または破壊）することにより表面４６が得られる。表面４６の層の少なくとも一部を除去するための様々な技術について以下に説明する。
【００１８】
図１の実施例では、表面４６は平滑である。この実施例では、アミドリッチな層が除去されてその化学特性が存在しないため、平滑表面は（ウレタンジャケットを有する上述したベルトで生じる）所望のトラクション能力を妨げない。純粋ポリウレタンの露出している表面層はより好ましいトラクション特性を示す。
【００１９】
１つの実施例では、アミドリッチな層が全体的に除去されて、（溝４７を除く）表面４６全体が純粋ポリウレタンを露出する。他の実施例では、アミドリッチな層が部分的に表面４６上に残存する。後者の実施例では、表面４６の一部のみが純粋ポリウレタンを露出している。
【００２０】
図２および図３は、平坦なベルトであって表面４６’上に任意の溝４７を有さない荷重支持部材４０’の他の実施態様を示す図である。図２および図３の実施態様では、図１の実施態様を製造するのに利用したのとは別の製造技術を利用したので、溝４７は図１の実施態様にしか存在しない。この実施例では、表面４６’上に複数の圧痕（ｉｍｐｒｅｓｓｉｏｎ）４９が残るため、表面は粗くなる。
【００２１】
実施例の表面４６’の粗さは複数の表面の凹凸を含み、表面４６’を粗く（すなわち平滑でなく）する。図示した実施例では、複数の圧痕４９が表面４６’上に広がる。１つの実施例では、表面の凹凸パターンは規則的である。他の実施例では、表面の凹凸は表面４６’に対してランダムに広がっている。
【００２２】
１つの実施例では、少なくとも５μｍ深さの複数の圧痕４９が表面４６’に存在する。特定の実施態様の要求に応じて、圧痕４９はより深くてよい。
【００２３】
１つの実施例では、粗い表面４６’は表面全体が純粋ポリウレタンである。この実施例では、アミド含有層全体を除去する工程中に、ポリウレタン材料へ圧痕４９が形成される。
【００２４】
他の実施例では、アミドリッチな層が部分的に残存する。１つの実施例では、実施例のアミドリッチな層の対応部分を除去することで圧痕４９が生じ、これらの圧痕４９は露出した純粋ポリウレタンを含む。
【００２５】
粗い表面は、ウレタンの上にアミドリッチな層を有する平滑表面とは全く異なる摩擦係数を、荷重支持部材とトラクションシーブとの間に生じさせる。ある実施例では、粗い表面４６により、トラクション能力が著しく減少する。ジャケット４４’を製造するのに選択されるウレタン材料によって、もし、圧力が増加すると摩擦係数が減少するのであれば、粗い表面４６’が効率的に圧力を増加させ摩擦を低下させる。他方で、あるウレタン材料では、圧力が増加すると摩擦係数も増加するので、粗さが摩擦を増加させる効果を有すると考えられる。いずれの場合も、たとえアミド含有材料が部分的に残存していても、表面４６’の粗さが粘着力を低下させ、それゆえにみかけの摩擦力が低下する。本明細書の恩恵を受ける当業者は、荷重支持部材アセンブリを製造するのに選択される材料を考慮し、特定の状況で求められる要求事項に応じて、適当な表面構造（すなわち粗さ）を選択できるであろう。
【００２６】
図４は、１つの実施例の荷重支持部材を製造する方法を示す概要図である。コードサプライ５０はコード４２を供給する。位置決め装置５２はコード４２を所望の配列に並べるので、コードは荷重支持部材４０の長手方向軸に対して平行に伸長する。引張装置５４はジャケット施工工程でコード４２にかかる張力を制御する。ジャケット施工ステーション５６はコード４２上にジャケット材料を施すのに適するモールド成形装置またはその他の装置を含むのが好ましい。サプライ５８は選択された材料を従来の方法でジャケット施工ステーション５６へ提供する。ジャケット材料は加圧モールド成形、押出成形またはその他の方法でコード４２上に施される。この実施例で製造されたアセンブリは仕上げステーション６０で仕上げ処理される。図示されたこの実施例では、仕上げステーションはジャケットから少なくとも１つの表面層の少なくとも一部を除去するための装置を少なくとも１つ含む。
【００２７】
図５は、本発明の実施態様で使用される、ジャケット４４の表面４６からアミドリッチな層を少なくとも部分的に除去する装置の概略図である。図５の実施例では、研磨パッド６５が粗い表面６６を有し、これが仕上げステーション６０の機械に支持されているので、表面６６がジャケット４４の表面４６に少なくとも部分的に食い込む。１つの実施例では、可動部が研磨装置６５を速やかに円を描くように動かすかまたは往復するように動かすことでジャケット４４が研磨され、表面４６から層が除去される。
【００２８】
図６は、サンドペーパーのような研磨シート６７が仕上げステーション６０に適切に支持されて表面４６と少なくとも部分的に接触し、表面４６から材料を所望量だけ除去する別の実施例の概略図である。
【００２９】
図７は、表面４６から材料を除去するための別の装置を示す概略図である。この実施例では、バフ研磨パッド６８が適切な方法で支持され表面を少なくとも部分的にこすりとり、適度な粗さになるまで表面をバフ研磨する。
【００３０】
図９は、表面４６を破壊するのに有用なローラー６３を示す。この実施例には、表面を破壊し表面４６の対応する位置に純粋ポリウレタンを露出させるための突起部６４が存在する。１つの実施例では、ローラー６３は表面４６から材料を除去せず、材料を移動させるかまたは変性させるにすぎない。弾性ジャケットが押出成形されて熱いうちに、表面構造を有するローラーまたはホイールを使用して表面層を破壊することができる。別の方法では、熱したローラーまたは外部熱源を利用して、押出成形から時間を置いて冷えた熱可塑性ジャケットの表面を変性させる。この方法の原理は、ワックス表面層を破壊して基本となるエラストマー特性をプリントスルーさせるというものである。
【００３１】
表面４６から材料を機械的に除去するのに必要な１つまたは複数の特定の装置は、用途に応じてジャケットおよび表面構造を形成するために選択された特定材料に従って変更することができる。さらに、除去工程は、例えば材料を扱いやすいように、乾燥していても湿度を有していてもよい。本明細書の恩恵を受ける当業者は、ここに記載されている装置かまたは同様の機能を有する別の装置を１つ以上組合せるなど、状況に応じて何が最善かを認識しているであろう。
【００３２】
図５〜７および図９が機械的な除去技術について説明したのに対し、別の実施例の仕上げステーション６０は化学薬品をベースとする除去工程を利用する。１つの実施例では、塗布装置７０が例えば２−ブトキシエタノールと水との混合物のような薬品洗浄液を表面４６の少なくとも一部に塗布し、表面４６上の材料を部分的に腐食させ、薬品洗浄液を例えば水ですすぎ落とすとすぐに純粋ポリウレタンの露出した表面が得られる。他の実施例では、化学エッチング技術を表面４６の少なくとも一部に実施する。本明細書の恩恵を受ける当業者は、特定状況で求められる要求事項に応じて、表面の少なくとも一部に所望量の純粋ポリウレタンを得るのに適した化学薬品および実施時間を選択できるであろう。
【００３３】
１つの実施例では、仕上げステーション６０はまた、成形装置、寸法検査装置、および硬化用冷水浴を含み、この硬化用冷水浴は、ジャケット材料およびこのジャケット材料中のコードを好適な温度まで冷却する。仕上げステーションの成形装置は、所望の外形（すなわち長方形の横断面）が得られるようにジャケットへ力を加える硬質構造体を含むのが好ましい。例えばレーザー三角測量装置として知られるような検査装置は、所望の形状寸法が得られたかどうかを測定する。
【００３４】
得られた荷重支持部材４０は次に装置６２で保管されるのが好ましく、例えばエレベータシステムに取り付ける際に様々な場所へ運搬できるようスプールに巻かれている。荷重支持部材４０は特定の長さに予め切断されてもよく、あるいは取り付けに携わる技術者が特定用途に適する量のベルト材料を選択できるように長めにしておいてもよい。
【００３５】
上記記載は制限を目的とするのでは全くなく、例示を意図するものである。開示された実施例の変更および修正を行うことが、本発明の本質から外れるものではないことは当業者に明らかである。本発明に与えられる法的な保護の範囲は、以下の請求項を熟読することでのみ明らかにできる。
【図面の簡単な説明】
【００３６】
【図１】本発明の1つの実施態様に即して製造された荷重支持部材の１例の部分的概略図。
【図２】本発明の別の実施態様に即して製造された荷重支持部材の別の例の部分的概略図。
【図３】図２を直線３−３で切り取った断面図。
【図４】本発明の実施態様に即して製造される荷重支持部材の製造の概要図。
【図５】図４の方法の一部を具体的に実施するための装備の１例を示す概略図。
【図６】図４に示される実施態様で使用する他の装置の１例を示す概略図。
【図７】図４に示される実施態様で使用する他の装置の１例を示す概略図。
【図８】図４に示される実施態様で使用する他の装置の１例を示す概略図。
【図９】実施例のジャケット表面を破壊するための装置の１例を示す概略図。
【図１】
2008529927.tif 000002
【図２】
2008529927.tif 000003
【図３】
2008529927.tif 000004
【図４】
2008529927.tif 000005
【図５】
2008529927.tif 000006
【図６】
2008529927.tif 000007
【図７】
2008529927.tif 000008
【図８】
2008529927.tif 000009
【図９】
2008529927.tif 000010
【手続補正書】
【提出日】平成18年5月8日(2006.5.8)
【手続補正１】
【補正対象書類名】特許請求の範囲
【補正対象項目名】全文
【補正方法】変更
【補正の内容】
【特許請求の範囲】
【請求項１】
ポリマージャケットの所望のトラクション特性を得るために、少なくとも１つの引張部材を概ね覆う前記ポリマージャケットの少なくとも１つの表面の上にある材料を少なくとも部分的に除去する工程を含むことを特徴とするエレベーターシステムに使用する荷重支持部材の製造方法。
【請求項２】
前記表面の１つから材料を化学的に除去する工程を含むことを特徴とする請求項１に記載のエレベーターシステムに使用する荷重支持部材の製造方法。
【請求項３】
前記表面の１つに化学薬品を塗布する工程を含み、前記化学薬品が２−ブトキシエタノールと水との混合物を含有することを特徴とする請求項２に記載のエレベーターシステムに使用する荷重支持部材の製造方法。
【請求項４】
前記表面の１つに化学エッチングまたは薬品洗浄の少なくとも１つを実施する工程を含むことを特徴とする請求項２に記載のエレベーターシステムに使用する荷重支持部材の製造方法。
【請求項５】
前記表面の１つから材料を機械的に除去する工程を含むことを特徴とする請求項１に記載のエレベーターシステムに使用する荷重支持部材の製造方法。
【請求項６】
前記表面の１つに研磨、研削、磨耗またはバフ研磨の少なくとも１つを実施する工程を含むことを特徴とする請求項５に記載のエレベーターシステムに使用する荷重支持部材の製造方法。
【請求項７】
前記表面の１つを破壊する工程を含むことを特徴とする請求項１に記載のエレベーターシステムに使用する荷重支持部材の製造方法。
【請求項８】
前記ジャケットがポリウレタンを含有し、
前記表面の１つの少なくとも一部に純粋ポリウレタンを露出させる工程を含むことを特徴とする請求項１に記載のエレベーターシステムに使用する荷重支持部材の製造方法。
【請求項９】
前記ポリマージャケットが、第１の摩擦特性を有する内側層と、第２の摩擦特性を有する表面層と、を備え、
前記材料を少なくとも部分的に除去する工程が、前記内側層の少なくとも一部を少なくとも部分的に露出することを特徴とする請求項１に記載のエレベーターシステムに使用する荷重支持部材の製造方法。
【請求項１０】
ポリマージャケットの所望のトラクション特性を得るために、少なくとも１つの引張部材を概ね覆うポリマージャケットの少なくとも１つの表面の上にある材料を、少なくとも部分的に除去する工程を含む方法で製造されることを特徴とするエレベーターシステムに使用する荷重支持部材。
【請求項１１】
前記方法が、前記表面の１つから材料を化学的に除去する工程を含むことを特徴とする請求項１０に記載のエレベーターシステムに使用する荷重支持部材。
【請求項１２】
前記方法が、前記表面の１つに化学薬品を塗布する工程を含み、前記化学薬品が２−ブトキシエタノールと水との混合物を含有することを特徴とする請求項１１に記載のエレベーターシステムに使用する荷重支持部材。
【請求項１３】
前記方法が、前記表面の１つに化学エッチングまたは薬品洗浄の少なくとも一方を実施する工程を含むことを特徴とする請求項１１に記載のエレベーターシステムに使用する荷重支持部材。
【請求項１４】
前記方法が、前記表面の１つから材料を機械的に除去する工程を含むことを特徴とする請求項１０に記載のエレベーターシステムに使用する荷重支持部材。
【請求項１５】
前記方法が、前記表面の１つに研磨、研削、磨耗またはバフ研磨の少なくとも１つを実施する工程を含むことを特徴とする請求項１４に記載のエレベーターシステムに使用する荷重支持部材。
【請求項１６】
前記方法が、前記表面の１つを破壊する工程を含むことを特徴とする請求項１０に記載のエレベーターシステムに使用する荷重支持部材。
【請求項１７】
前記ジャケットがポリウレタンを含有し、前記方法が、前記表面の１つに純粋ポリウレタンを露出させる工程を含むことを特徴とする請求項１０に記載のエレベーターシステムに使用する荷重支持部材。
【請求項１８】
前記ポリマージャケットが、第１の摩擦特性を有する内側層と、第２の摩擦特性を有する表面層と、を備え、
前記材料を少なくとも部分的に除去する工程が、前記内側層の少なくとも一部を少なくとも部分的に露出することを特徴とする請求項１に記載のエレベーターシステムに使用する荷重支持部材。
【請求項１９】
少なくとも１つの引張部材と、
前記引張部材を概ね覆うためのジャケットと、
を備え、
前記ジャケットは、ジャケット最外層の少なくとも１部を規定する少なくとも１つの表面を有し、前記表面の１つは露出した純粋ポリウレタンを含有することを特徴とするエレベーターシステムに使用する荷重支持部材。
【請求項２０】
前記露出した純粋ポリウレタンが前記表面の全体に亘って存在することを特徴とする請求項１９に記載のエレベーターシステムに使用する荷重支持部材。
【請求項２１】
前記表面の１つが平滑であることを特徴とする請求項１９に記載のエレベーターシステムに使用する荷重支持部材。
【請求項２２】
前記表面の１つが少なくとも部分的に粗いことを特徴とする請求項１９に記載のエレベーターシステムに使用する荷重支持部材。
【国際調査報告】
2008529927.tif 000011
2008529927.tif 000012